(57)【特許請求の範囲】
【請求項１】
ガス漏れセンサにより家庭におけるガス漏れ検出をし、前記ガス漏れセンサの設置場所から離れた場所にガス漏れ通報をするガス漏れ通報システムであって、前記家庭に敷設され、交流電源を供給する電源線と、前記電源線に設けられるコンセントに脱着自在に接続され、前記ガス漏れセンサによるガス漏れ検出を受信して、これをガス漏れ検出信号として電力線搬送方式によりアドレスデータと共に前記電源線上に送出する第１端末制御装置と、前記電源線に設けられるコンセントに脱着自在に接続され、前記電力線搬送方式により前記電源線上に送出された自装置宛の前記ガス漏れ検出信号に応答して、警報器を制御してガス漏れ警報を行う第２端末制御装置と、前記電源線に設けられるコンセントに脱着自在に接続され、前記電力線搬送方式により前記電源線上に送出された自装置宛の前記ガス漏れ検出信号に応答して、窓開閉装置を制御して窓を開状態にする第３端末制御装置とを有し、
前記第１端末制御装置は、前記ガス漏れが停止した際には、これをガス漏れ検出停止信号として電力線搬送方式によりアドレスデータと共に前記電源線上に送出し、前記第３端末制御装置は、前記電源線上に送出された自装置宛の前記ガス漏れ検出停止信号に応答して、前記窓開閉装置を制御して窓を閉状態に戻すことを特徴とするガス漏れ通報システム。
【請求項２】
請求項１記載のガス漏れ通報システムにおいて、前記電源線に接続されると共に通信回線を介して通信装置と通信可能であり、前記電力線搬送方式により前記電源線上に送出された自装置宛の前記ガス漏れ検出信号を受信して、このガス漏れ検出信号を前記通信回線を介して通信装置に連絡する通信制御装置をさらに有することを特徴とするガス漏れ通報システム。
【請求項３】
請求項２記載のガス漏れ通報システムにおいて、前記通信制御装置は、前記電力線搬送方式により前記電源線上に送出された自装置宛の前記ガス漏れ検出停止信号を受信して、前記ガス漏れ検出停止信号を通信回線を介して通信装置に連絡し、前記第２端末制御装置は、前記電源線上に送出された自装置宛の前記ガス漏れ検出停止信号に応答して、警報器を制御してガス漏れ警報を停止することを特徴とするガス漏れ通報システム。
【請求項４】
請求項１記載のガス漏れ通報システムにおいて、前記ガス漏れセンサは、前記第１端末制御装置に一体に構成されていることを特徴とするガス漏れ通報システム。
【請求項５】
請求項１記載のガス漏れ通報システムにおいて、前記ガス漏れセンサは、前記第１端末制御装置とは別体に構成されており、前記第１端末制御装置は、前記ガス漏れセンサが接続される外部接続端子を有し、この外部接続端子を介して前記ガス漏れセンサが前記第１端末制御装置に接続されていることを特徴とするガス漏れ通報システム。
【請求項６】
請求項１記載のガス漏れ通報システムにおいて、前記警報器は、前記第２端末制御装置に一体に構成されていることを特徴とするガス漏れ通報システム。
【請求項７】
請求項１記載のガス漏れ通報システムにおいて、前記警報器は、前記第２端末制御装置とは別体に構成されており、前記第２端末制御装置は、前記警報器が接続される外部接続端子を有し、この外部接続端子を介して前記ガス漏れセンサが前記警報器に接続されていることを特徴とするガス漏れ通報システム。
【発明の詳細な説明】
【０００１】
【発明の属する技術分野】
本発明は、ガス漏れ通報システムに関し、特に、電力線搬送方式及び携帯電話などの通信装置を用いたガス漏れ通報システムに関する。
【０００２】
【従来の技術】
従来、家庭内のガス漏れを検出しガス漏れ警報を発するガス漏れ警報器が存在したが、このような従来のガス漏れ警報器は通常ガス機器の近傍に設置され、ガス漏れを検出した際には、単にアラーム音やランプ表示により異常を警報するものであった。
【０００３】
【発明が解決しようとする課題】
したがって、上記従来のガス漏れ警報器を用いたガス漏れ警報では、ガス機器が設置されている部屋から離れた部屋にいる人には、上記ガス漏れ警報を認識できないことが多く、ガス漏れ発見が遅れた場合にはガス中毒やその他重大事故に至る可能性もあった。また、留守中にガス漏れがあった場合には、本人には全くわからず、このようなガス漏れ状態が長時間続くと、やはり重大事故に至る可能性があった。
【０００４】
本発明は、上述した事情に鑑みてなされるもので、電力線搬送方式及び携帯電話などの通信装置を用いることによって、低コストで有りながら、ガス機器が設置場所から離れていても確実にガス漏れ警報を認識できるガス漏れ通報システムを提供することを課題とする。
【０００５】
【課題を解決するための手段】
上記課題を解決するためになされた請求項１記載のガス漏れ通報システムは、ガス漏れセンサ５２により家庭におけるガス漏れ検出をし、前記ガス漏れセンサ５２の設置場所から離れた場所にガス漏れ通報をするガス漏れ通報システム１であって、前記家庭に敷設され、交流電源を供給する電源線３と、前記電源線３に設けられるコンセント１０に脱着自在に接続され、前記ガス漏れセンサ５２によるガス漏れ検出を受信して、これをガス漏れ検出信号として電力線搬送方式によりアドレスデータと共に前記電源線３上に送出する第１端末制御装置５と、前記電源線３に設けられるコンセント１０に脱着自在に接続され、前記電力線搬送方式により前記電源線３上に送出された自装置宛の前記ガス漏れ検出信号に応答して、警報器６２を制御してガス漏れ警報を行う第２端末制御装置６と、前記電源線３に設けられるコンセント１０に脱着自在に接続され、前記電力線搬送方式により前記電源線３上に送出された自装置宛の前記ガス漏れ検出信号に応答して、窓開閉装置７２を制御して窓を開状態にする第３端末制御装置７とを有し、前記第１端末制御装置５は、前記ガス漏れが停止した際には、これをガス漏れ検出停止信号として電力線搬送方式によりアドレスデータと共に前記電源線３上に送出し、前記第３端末制御装置７は、前記電源線３上に送出された自装置宛の前記ガス漏れ検出停止信号に応答して、前記窓開閉装置７２を制御して窓を閉状態に戻すことを特徴とする。
【０００６】
請求項１記載の発明によれば、家庭に敷設された電源線３に第１端末制御装置５、第２端末制御装置６及び第３端末制御装置７が接続されている。第１端末制御装置５は、ガス漏れセンサ５２によるガス漏れ検出及びガス漏れ検出停止信号を受信して、これをガス漏れ検出信号及びガス漏れ検出停止信号として電力線搬送方式によりアドレスデータと共に前記電源線３上に送出する。第２端末制御装置６は、電力線搬送方式により電源線３上に送出された自装置宛のガス漏れ検出信号に応答して、警報器６２を制御してガス漏れ警報を行う。第３端末制御装置７は、電力線搬送方式により電源線３上に送出された自装置宛のガス漏れ検出信号に応答して、窓開閉装置７２を制御して窓を開状態にし、ガス漏れ検出停止信号に応答して、窓開閉装置７２を制御して窓を閉状態に戻す。そして、これら第１〜第３端末制御装置５〜７は電源線３に設けられるコンセント１０に脱着自在である。
【０００７】
上記課題を解決するためになされた請求項２記載のガス漏れ通報システムは、請求項１記載のガス漏れ通報システムにおいて、前記電源線３に接続されると共に通信回線１３を介して通信装置２と通信可能であり、前記電力線搬送方式により前記電源線３上に送出された自装置宛の前記ガス漏れ検出信号を受信して、このガス漏れ検出信号を前記通信回線１３を介して通信装置２に連絡する通信制御装置４をさらに有することを特徴とする。
【０００８】
請求項２記載の発明によれば、通信回線１３を介して通信装置２と通信可能な通信制御装置４が電源線３に接続されている。この通信制御装置４は電力線搬送方式により電源線３上に送出されたガス漏れ検出信号を受信して、これを通信回線１３を介して通信装置２に連絡する。
【００１１】
上記課題を解決するためになされた請求項３記載のガス漏れ通報システムは、請求項２記載のガス漏れ通報システムにおいて、前記通信制御装置４は、前記電力線搬送方式により前記電源線３上に送出された自装置宛の前記ガス漏れ検出停止信号を受信して、前記ガス漏れ検出停止信号を通信回線１３を介して通信装置２に連絡し、前記第２端末制御装置６は、前記電源線３上に送出された自装置宛の前記ガス漏れ検出停止信号に応答して、警報器６２を制御してガス漏れ警報を停止することを特徴とする。
【００１２】
請求項３記載の発明によれば、ガス漏れが停止した際には、電力線搬送方式によりアドレスデータと共に電源線３上に送出されたガス漏れ検出停止信号に応答して、通信制御装置４は通信回線１３を介してその旨通信装置２に連絡し、第２端末制御装置６は警報器６２を制御してガス漏れ警報を停止する。
【００１５】
上記課題を解決するためになされた請求項４記載のガス漏れ通報システムは、請求項１記載のガス漏れ通報システムにおいて、前記ガス漏れセンサ５２は、前記第１端末制御装置５に一体に構成されていることを特徴とする。
【００１６】
請求項４記載の発明によれば、ガス漏れセンサ５２は第１端末制御装置５に一体に構成されているので、ガス漏れ通報システムにおいてコンパクトで使い勝手のよい端末制御装置が得られる。
【００１７】
上記課題を解決するためになされた請求項５記載のガス漏れ通報システムは、請求項１記載のガス漏れ通報システムにおいて、前記ガス漏れセンサ５２は、前記第１端末制御装置５とは別体に構成されており、前記第１端末制御装置５は、前記ガス漏れセンサ５２が接続される外部接続端子を有し、この外部接続端子を介して前記ガス漏れセンサ５２が前記第１端末制御装置５に接続されていることを特徴とする。
【００１８】
請求項５記載の発明によれば、第１端末制御装置５は、ガス漏れセンサ５２が接続される外部接続端子を有している。そして、この外部接続端子を介してガス漏れセンサ５２が第１端末制御装置５に接続されている。
【００１９】
上記課題を解決するためになされた請求項６記載のガス漏れ通報システムは、請求項１記載のガス漏れ通報システムにおいて、前記警報器６２は、前記第２端末制御装置６に一体に構成されていることを特徴とする。
【００２０】
請求項６記載の発明によれば、ガス警報器６２は第２端末制御装置６に一体に構成されているので、ガス漏れ通報システムにおいてコンパクトで使い勝手のよい端末制御装置が得られる。
【００２１】
上記課題を解決するためになされた請求項７記載のガス漏れ通報システムは、請求項１記載のガス漏れ通報システムにおいて、前記警報器６２は、前記第２端末制御装置６とは別体に構成されており、前記第２端末制御装置６は、前記警報器６２が接続される外部接続端子を有し、この外部接続端子を介して前記ガス漏れセンサ５２が前記警報器６２に接続されていることを特徴とする。
【００２２】
請求項７記載の発明によれば、第２端末制御装置６は、警報器６２が接続される外部接続端子を有している。そして、この外部接続端子を介して警報器６２が第２端末制御装置６に接続されている。
【００２３】
【発明の実施の形態】
以下、図面を参照して本発明の一実施の形態を説明する。
図１は、本発明のガス漏れ通報システムの一実施形態を示す構成図である。
【００２４】
図１において、ガス漏れ通報システム１は、例えば、通信装置２、電源線３、通信制御装置４、並びに第１、第２及び第３端末制御装置５、６及び７を備えて構成されている。これらの構成のうち、ホーム（家庭）８側には電源線３と通信制御装置４と第１、第２及び第３端末制御装置５、６及び７とが設けられ、通信装置２が外部９で用いられるようになっている（種類によって通信装置２はホーム８内でも使用することができる）。
【００２５】
まず、上記構成について説明する。
通信装置２は、有線及び無線を問わず、携帯電話機、ＰＨＳ、押しボタンダイヤル式電話機（例えばプッシュホン）などの各種を対象として挙げることができるものとする。また、通信装置２は、自動車などの車両に装備される機器（例えばカーナビゲーションシステム）やインターネットを通じて接続される機器（例えばポータブル（パーソナル）コンピュータ）であってもよいものとする。
【００２６】
電源線３は、ホーム８に敷設される既知のＡＣ１００Ｖの商用交流電源線であって、各部屋（不図示）の各所に配設されるコンセント１０を備えている（ＡＣ２００Ｖの電源線を用いてもよい）。なお、図１に示される電源線３は、一本のみ図示されているが、これに限られるものではない。コンセント１０の数も同様である。また、電源線３の一端が接続される引用符号１１の部材は、既知構成の分電盤を示している。電源線３は、既存の設備であることから、その電源線３をガス漏れ通報システム１の一構成に含めることで、安価にシステムを構築することができる。
【００２７】
通信制御装置４は、電話機１２が一体になっており、電話回線１３を通じて外部９より、すなわち通信装置２より送られてくる制御内容に合わせたコマンドを受信して制御信号を生成するように構成されている。また、通信制御装置４は、プラグ付きコード１４を有しており、生成された制御信号をプラグ付きコード１４及び電源線３を介して端末制御装置５、６、７側へ送信することができるように構成されている。さらに、通信制御装置４は、ＤＴＭＦ信号識別（プッシュ信号）を行うと共に自動着信コントロールを行えるように構成されている。また、通信装置２へ音声メッセージを送信することもできるように構成されている。
【００２８】
また、通信制御装置４は、次の図２で示す作用に係る制御として、電力線搬送方式により電源線３上に送出された後述のガス漏れ検出信号又はガス漏れ検出停止信号を受信して、その旨を通信回線１３を介して通信装置２に連絡する機能を有する。
【００２９】
上記制御信号、ガス漏れ検出信号又はガス漏れ検出停止信号は、既知の電力線搬送方式により送信されるようになっている。それらの信号は、符号化され秘匿性を高めるようになっている。本実施形態では、符号化方式として例えばカオス（カオスブロック暗号）を利用し秘匿性の向上を図っている。上記制御信号は、制御対象となる端末制御装置５、６、７に対するアドレスデータが含まれているものとする。なお、通信制御装置４は、上記制御信号を暗号化すると共に端末制御装置５、６、７からの暗号化された後述する情報信号などを復号化することができるように構成されている。また、通信制御装置４は、電話機１２を一体にして構成されていることから、電話回線１３を接続し、プラグ付きコード１４を例えば最寄りのコンセント１０に接続するだけでセッティングが完了する。
【００３０】
一方、第１端末制御装置５は、最寄りのコンセント１０に脱着自在に接続できるように構成されている。すなわち、第１端末制御装置５には、上記最寄りのコンセント１０に接続されるプラグ５Ａが一体に配設されている（図１においてはコード無しであるが、これに限られるものではない。以下で説明する端末制御装置６、７も同様である）。また、第１端末制御装置５は、ガス漏れセンサ５２によるガス漏れ検出を受信して、これをガス漏れ検出信号として電力線搬送方式によりアドレスデータと共に電源線３上に送出する。また、第１端末制御装置５は、ガス漏れが停止した際には、これをガス漏れ検出停止信号として電力線搬送方式によりアドレスデータと共に電源線３上に送出する。
【００３１】
上記第１端末制御装置５は、プラグ５Ａ、電源多重部（ＲＸＴＸ）５Ｂ及び制御部５Ｃを含んで構成される。電源多重部５Ｂは、プラグ５Ａに接続され、このプラグ５Ａを介して電源線３に電気的に接続されている。この電源多重部５Ｂは、電力線搬送方式に基づく変復調部を含む送受信機能を備えている。
【００３２】
制御部５Ｃは、内部信号線を介して電源多重部５Ｂに接続されている。制御部５Ｃは、次の図２で示すような本実施形態に係る作用を制御するための中央演算処理部を有する。また、制御部５Ｃは、図示しないＲＯＭ部及びＲＡＭ部も有する。ＲＯＭ部には、プログラムや固定データなどが格納される。ＲＡＭ部には処理の過程で発生する各種のデータなどが格納される。
【００３３】
制御部５Ｃは、電源多重部５Ｂからの復調信号に含まれるアドレスデータが自装置宛のものであれば、制御信号に応じた制御を行う。また、ガス漏れセンサ５２からの信号にアドレスデータを付加して電源多重部５Ｂに送出する。
【００３４】
またこの例では、第１端末制御装置５を構成する筐体の一部には、制御部５Ｃに電気的に接続され、またガス漏れセンサ５２が接続される外部接続端子が設けられている。
【００３５】
ガス漏れセンサ５２はガス濃度センサを含み、ガス漏れ検出をし、検出時には接続線５１を介してこれを外部に出力することができる。ガス漏れセンサ５２は図示しないが例えば電源線３から駆動電力が供給されている。この例では、ガス漏れセンサ５２は、ガス漏れ検出を上記第１端末制御装置５の外部接続端子に供給する。なお、ガス漏れセンサ５２は、ガス漏れ検出に応答してそれを警報する既存のガス漏れセンサやセキュリティ機器を利用してもよい。
【００３６】
このように第１端末制御装置５はガス漏れセンサ５２が接続される外部接続端子を有しているので、既成のガス漏れセンサを本ガス漏れ通報システムに利用できるようになり、コスト削減になる。第１端末制御装置５は、基本的に電源多重部及び制御部から構成されるようになるので、様々なセンサが接続可能なユニット化された端末制御装置が得られるようになる。
【００３７】
また、ガス漏れセンサ５２は第１端末制御装置５と一体に構成されるようにしてもよい。この場合、ガス漏れセンサ５２は第１端末制御装置５に一体に構成されているので、ガス漏れ通報システムにおいてコンパクトで使い勝手のよい端末制御装置が得られるようになる。すなわち、電源コンセント１０に装着するだけで、ガス漏れ検出をし、かつ外部にその情報を送出することができる端末制御装置が得られる。
【００３８】
上記第２端末制御装置６も、最寄りのコンセント１０に脱着自在に接続できるように構成されている。すなわち、第２端末制御装置６には、上記最寄りのコンセント１０に接続されるプラグ６Ａが一体に配設されている。第２端末制御装置６は、電力線搬送方式により電源線３上に送出された自装置宛のガス漏れ検出信号に応答して、警報器６２を制御してガス漏れ警報を行う。また第２端末制御装置６は、電源線３上に送出された自装置宛のガス漏れ検出停止信号に応答して、警報器６２を制御してガス漏れ警報の停止も行う。
【００３９】
この第２端末制御装置６は、ガス漏れセンサ５２及び第１端末制御装置５が設置されている部屋とは離れた、寝室、リビング、あるいは書斎などの電源コンセントに装着されいる。
【００４０】
第２端末制御装置６は、プラグ６Ａ、電源多重部（ＲＸＴＸ）６Ｂ及び制御部６Ｃを含んで構成される。電源多重部６Ｂは、プラグ６Ａに接続され、このプラグ６Ａを介して電源線３に電気的に接続されている。この電源多重部６Ｂは、電力線搬送方式に基づく変復調部を含む送受信機能を備えている。
【００４１】
制御部６Ｃは、内部信号線を介して電源多重部６Ｂに接続されている。制御部６Ｃは、次の図２で示すような本実施形態に係る作用を制御するための中央演算処理部を有する。また、制御部６Ｃは、図示しないＲＯＭ部及びＲＡＭ部も有する。ＲＯＭ部には、プログラムや固定データなどが格納される。ＲＡＭ部には処理の過程で発生する各種のデータなどが格納される。
【００４２】
制御部６Ｃは、電源多重部６Ｂからの復調信号に含まれるアドレスデータが自装置宛のものであれば、制御信号に応じた制御を行う。また、警報器６２からの信号にアドレスデータを付加して電源多重部６Ｂに送出する。
【００４３】
またこの例では、第２端末制御装置６を構成する筐体の一部には、制御部６Ｃに電気的に接続され、また警報器６２が接続される外部接続端子が設けられている。
【００４４】
警報器６２は、ガス漏れ検出時には制御部６Ｃに制御されて、ガス漏れ警報をする。警報器６２は図示しないが警報発生時に駆動電力が供給される例えば電池を内蔵している。警報器６２は、ガス漏れ検出時には制御部６Ｃに制御されて、ガス漏れ警報を停止する。警報器６２は、音声警報又はランプ警報のみであってもよいし、その両方を含んでもよい。
【００４５】
このように第２端末制御装置６は、警報器６２が接続される外部接続端子を有しているので、既成の警報器を本ガス漏れ通報システムに利用できるようになり、コスト削減になる。第２端末制御装置６は、基本的に電源多重部及び制御部から構成されるようになるので、様々な警報器、例えば各種ブザー装置、警報ランプ装置などが接続可能なユニット化された端末制御装置が得られるようになる。
【００４６】
また、警報器６２は第２端末制御装置６と一体に構成されるようにしてもよい。この場合、ガス警報器６２は第２端末制御装置６に一体に構成されているので、ガス漏れ通報システムにおいてコンパクトで使い勝手のよい端末制御装置が得られるようになる。すなわち、電源コンセント１０に装着するだけで、電源線３を介してガス漏れ検出信号を受信し、ガス漏れ警報をする端末制御装置が得られる。
【００４７】
上記第３端末制御装置７も、最寄りのコンセント１０に脱着自在に接続できるように構成されている。第３端末制御装置６は、上述の第２及び第３端末制御装置５及び６と同様、図示しない電源多重部及び制御部を有する。そして、電力線搬送方式により電源線３上に送出された自装置宛のガス漏れ検出信号に応答して、窓開閉装置７２を制御して窓を開状態にしたり、同様に電源線３上に送出された自装置宛の前記ガス漏れ検出停止信号に応答して、窓開閉装置７２を制御して窓を閉状態に戻したりする。内部構成は基本的に上述の第２及び第３端末制御装置５及び６と同様なのでここでは説明しない。この場合、窓開閉装置７２は、第３端末制御装置７に制御されて、モータ駆動などを利用して窓を開閉するものである。
【００４８】
なお、上記窓開閉装置７２は、単に交流電源が供給された場合のみ窓を開け、交流電源供給が停止した場合窓を閉じるようにするタイプのものでもよい。この場合、窓開閉装置７２は第３端末制御装置７を介して電源線３に接続されることになり、第３端末制御装置７は上記ガス漏れ検出信号又はガス漏れ検出停止信号に応答して、窓開閉装置７２に電源供給制御して窓開閉動作を行わせることになる。このようにすることにより、第３端末制御装置７及び窓開閉装置７２の構成が簡単になり、ガスが部屋の中に充満することによる危険を回避できるようになる。
【００４９】
次に図２を用いて、通信装置、主制御装置及び各端末制御装置間で行われる作用を説明する。図２は、図１に示した通信装置と、主制御装置と、第１〜第３端末制御装置との間で行われる、本発明の実施形態に係る作用を説明する図である。
【００５０】
図２において、引用符号２で示されるブロックは通信装置を表している。通信装置２は、ここでは携帯電話機を一例にして説明することにする。携帯電話機に引用符号２を付すことにする。これは外部の構成である（図１では引用符号９で示される部分）。一方、これに対しホーム側（図１では引用符号８で示される部分）を説明すると、引用符号４で示されるブロックは主制御装置を表している。また、引用符号５、６及び７で示されるブロックは第１、第２及び第３端末制御装置を表している。
【００５１】
このような構成において、ガス漏れセンサ５２がガス漏れを検出した場合の作用を説明する。
【００５２】
手順Ｔ１において、第１端末制御装置５の制御部５Ｃは、ガス漏れセンサ５２からガス漏れ検出を受信すると、これをアドレスデータと共に電源多重部５Ｂに供給する。これに応答して電源多重部５Ｂは、電力線搬送方式に基づき、ガス漏れ検出信号をプラグ５Ａ、電源線３を介して通信制御装置４に向けて伝送する。
【００５３】
手順Ｔ２において、ガス漏れ検出信号を受信した通信制御装置４はこれに対応する警報メッセージを通信装置２に、既知の電話回線を用いた通信方式に基づいて送信する。その警報メッセージは、例えば「ガス漏れが発生しています」である。
【００５４】
手順Ｔ３において、上記警報メッセージを受信した通信装置２は、この警報メッセージを出力する。通信装置２が電話機であるとすると、通常のように呼び出し音に応答してユーザがオフフックした後、自動的にボイスメール形式で上記警報メッセージが出力される。そして、ユーザによって警報メッセージが確認された後、通信装置２は切断（オンフック）される。
なお、図示しないがこのオンフックを検出した通信制御装置４は、通信制御装置４自体の切断（オンフック）を行う。
【００５５】
このように家庭内でのガス漏れ時にもその旨が通信回線１３を介して通信装置２に連絡されるので、外出中にガス漏れが発生したとしても例えばオフィスの電話や携帯電話を介してそれを認識することができるようになる。したがって、家庭内でのガス漏れを外部からでも認識できるようになり、大事故に至るのを防止することが可能になる。
【００５６】
一方、手順Ｔ４において、第１端末制御装置５の制御部５Ｃは、上記手順Ｔ１と同様に、第２端末制御装置６に向けても電力線搬送方式に基づきガス漏れ検出信号を伝送する。
【００５７】
手順Ｔ５において、電力線搬送方式に基づき電源線３、プラグ６Ａを介して自装置宛に伝送されてきたガス漏れ検出信号は第２端末制御装置６の電源多重部６Ｂに受信される。電源多重部６Ｂは復調処理をしてガス漏れ検出信号を抽出し、それを制御部６Ｃに供給する。そして、これに応答して制御部６Ｃは、接続線６１を介して警報器６２に鳴動指令を送出する。この鳴動指令に応答して警報器６２はブザーなどの所定の警報音を発生する。
【００５８】
上述したように、第２端末制御装置６は、ガス漏れセンサ５２及び第１端末制御装置５が設置されている部屋とは離れた、寝室、リビング、あるいは書斎などの電源コンセントに装着されているので、ガス漏れ発生時にはガス機器から離れた部屋にいても確実にガス漏れを認識できる。すなわち、ガス漏れ時にどの部屋にいても早急に適切な対応がとれるようになる。第２端末制御装置６はコンセント１０に脱着自在であるので、必要に応じて警報すべき場所を変更したり、複数の場所に警報できるようにすることも容易である。
【００５９】
また、手順Ｔ６において、第１端末制御装置５の制御部５Ｃは、上記手順Ｔ１及び手順Ｔ４と同様に、第３端末制御装置７に向けても電力線搬送方式に基づきガス漏れ検出信号を伝送する。
【００６０】
手順Ｔ７において、電力線搬送方式に基づき電源線３、プラグ７Ａを介して自装置宛に伝送されてきたガス漏れ検出信号は第３端末制御装置７の電源多重部７Ｂに受信される。電源多重部７Ｂは復調処理をしてガス漏れ検出信号を抽出し、それを制御部７Ｃに供給する。そして、これに応答して制御部７Ｃは、接続線７１を介して窓開閉装置７２に窓開指令を送出する。この窓開指令に応答して窓開閉装置７２は窓を開ける。
【００６１】
このように、ガス漏れ発生時に自動的に窓が開状態になるので、ガス中毒などを効果的に防止できるようになる。
【００６２】
この後、第１端末制御装置５の制御部５Ｃは、ガス漏れセンサ５２からのガス漏れ検出を受信しないようになると、正常に復帰したと判断し、手順Ｔ８において、第２端末制御装置６に向けてガス漏れ検出停止信号を送出するようにする。すなわち、この場合制御部５Ｃは電源多重部５Ｂにガス漏れ検出停止信号を送信する。これに応答して電源多重部５Ｂは、電力線搬送方式に基づきガス漏れ検出停止信号を、プラグ５Ａ、電源線３を介して第２端末制御装置７に向けて伝送する。
【００６３】
手順Ｔ９において、第２端末制御装置６は手順Ｔ５で説明したと同様の手順により、その制御部６Ｃから接続線６１を介して警報器６２に鳴動停止指令を送出する。この鳴動停止指令に応答して警報器６２は警報音発生を停止する。
【００６４】
また、手順Ｔ１０において、上記ガス漏れ検出停止信号は第１端末制御装置５から第３端末制御装置７にも上記と同様の方式で伝送されている。
【００６５】
手順Ｔ１１において、第３端末制御装置７は手順Ｔ７で説明したと同様の手順により、その制御部７Ｃから接続線７１を介して窓開閉装置７２に窓閉指令を送出する。この窓閉指令に応答して窓開閉装置７２は窓を閉じる。
【００６６】
なお、矢印付き点線で示すように、第１端末制御装置５の制御部５Ｃは、ガス漏れセンサ５２からのガス漏れ検出を受信しないようになると、正常に復帰したと判断し、通信制御装置４を介して通信装置２にその旨を示す音声メッセージを伝送するようにしてもよい。その際の手順は、上記手順Ｔ１、手順Ｔ２及び手順Ｔ３で示したと同様である。この場合、その音声メッセージは、例えば「ガス漏れは停止しました」である。
【００６７】
このようにガス漏れが停止した際には、その旨通信装置２に連絡され、ガス漏れ警報が停止され、そして窓が閉状態に戻される。したがって、外出先やガス漏れのあった部屋から離れた部屋にいる人も無駄な心配や対応をしなくてすむようになる。また、ガス漏れ警報停止を上述のようにして認識できるようになるので、相乗的にガス漏れ発生もさらに明確に認識できるようになる。
【００６８】
またなお、上記窓開閉装置７２は、単に交流電源が供給された場合のみ窓を開けるタイプのものでもよい。この場合、窓開閉装置７２は第３端末制御装置７を介して電源線３に接続されることになり、第３端末制御装置７は上記ガス漏れ検出停止信号に応答して窓開閉装置７２に電源供給して窓開動作を行わせることになる。このようにすることにより、第３端末制御装置７及び窓開閉装置７２の構成が簡単になり、ガスが部屋の中に充満することによる危険を回避できるようになる。
【００７０】
その他、本発明は本発明の主旨を変えない範囲で種々変更実施可能なことは勿論である。
【００７１】
【発明の効果】
以上説明したように、請求項１記載の発明によれば、ガス漏れ検出信号を送信する第１端末制御装置５、ガス漏れ警報を行わせる第２端末制御装置６、及び窓開閉装置７２を制御する第２端末制御装置７は電源線３に設けられるコンセント１０に脱着自在である。したがって、例えば、第１端末制御装置５をガス機器の有る部屋のコンセント１０に接続し、第２端末制御装置６を人がよく集まる部屋や寝室のコンセント１０に接続しておくだけで、ガス漏れ発生時にはガス機器から離れた部屋にいても確実にガス漏れを認識できる。すなわち、ガス漏れ時には早急に適切な対応がとれるようになる。さらに、ガス漏れ発生時に自動的に窓を開閉制御するので、ガス中毒などを効果的に防止できるようになり、ガス漏れ警報の効果も付加されるので、ガス漏れによって自動的に窓が開状態になったことが容易に認識でき、当事者に混乱を与えることがない。通常、家庭内の部屋には全て電源コンセント１０が配設されているので、新たに信号線を各部屋に敷設する必要がないのでコスト面及び美観面でも効果が高い。第１〜第３端末制御装置５〜７はコンセント１０に脱着自在であるので、必要に応じて警報すべき場所を変更したり、複数の場所に警報できるようにすることも容易である。
【００７２】
請求項２記載の発明によれば、家庭内でのガス漏れ時にもその旨通信回線１３を介して通信装置２に連絡されるので、外出中にガス漏れが発生したとしても例えばオフィスの電話や携帯電話を介してそれを認識することができるようになる。したがって、家庭内でのガス漏れを外部からでも認識できるようになり、大事故に至るのを防止することが可能になる。
【００７４】
請求項３記載の発明によれば、ガス漏れが停止した際には、その旨通信装置２に連絡され、ガス漏れ警報が停止される。したがって、外出先やガス漏れのあった部屋から離れた部屋にいる人も無駄な心配や対応をしなくてすむようになる。また、ガス漏れ警報停止を上述のようにして認識できるようになるので、相乗的にガス漏れ発生もさらに明確に認識できるようになる。
【００７６】
請求項４記載の発明によれば、ガス漏れセンサ５２は第１端末制御装置５に一体に構成されているので、ガス漏れ通報システムにおいてコンパクトで使い勝手のよい端末制御装置が得られるようになる。すなわち、電源コンセント１０に装着するだけで、ガス漏れ検出をし、かつ外部にその情報を送出することができる端末制御装置が得られる。
【００７７】
請求項５記載の発明によれば、ガス漏れセンサ５２が接続される外部接続端子を有しているので、既成のガス漏れセンサを本ガス漏れ通報システムに利用できるようになり、コスト削減になる。第１端末制御装置５は、基本的に電源多重部及び制御部から構成されるようになるので、様々なセンサが接続可能なユニット化された端末制御装置が得られるようになる。
【００７８】
請求項６記載の発明によれば、ガス警報器６２は第２端末制御装置６に一体に構成されているので、ガス漏れ通報システムにおいてコンパクトで使い勝手のよい端末制御装置が得られるようになる。すなわち、電源コンセント１０に装着するだけで、電源線３を介してガス漏れ検出信号を受信し、ガス漏れ警報をする端末制御装置が得られる。
【００７９】
請求項７記載の発明によれば、第２端末制御装置６は、警報器６２が接続される外部接続端子を有しているので、既成の警報器を本ガス漏れ通報システムに利用できるようになり、コスト削減になる。第２端末制御装置６は、基本的に電源多重部及び制御部から構成されるようになるので、様々な警報器、例えば各種ブザー装置、警報ランプ装置などが接続可能なユニット化された端末制御装置が得られるようになる。
【図面の簡単な説明】
【図１】本発明のガス漏れ通報システムの一実施形態を示す構成図である。
【図２】図１に示した通信装置と、主制御装置と、第１〜第３端末制御装置との間で行われる、本発明の実施形態に係る作用を説明する図である。
【符号の説明】
１  ガス漏れ通報システム
２  通信装置
３  電源線
４  通信制御装置
５  第１端末制御装置
６  第２端末制御装置
７  第３端末制御装置
８  ホーム
９  外部
１０  コンセント
１２  電話機
１３  電話回線（通信回線）
５２  ガス漏れセンサ
６２  警報器
７２  窓開閉装置
【図１】
0004486231.tif 000002
【図２】
0004486231.tif 000003